(57)【要約】【課題】給油スペースを駐車スペースとして利用することができ、現金自動取引機能と精算機能との相互利用を可能とする現金自動取引機能付きセルフ給油システムを提供する。【解決手段】自動車への給油を行なうための計量機と、前記計量機から自動車へ給油される油の種類を示す油種を選択する外設端末と、計量機と外設端末を接続するＰＯＳ装置からなり、前記外設端末は、前記給油に利用可能な金融カードの情報を読み取る読み取り手段とを備え、前記給油に利用可能な金融カードを管理するセンタ−を備え、且つ、ＰＯＳ装置は、読み取り手段により読み取られたカードに関する情報と選択されたサービスに応じて前記計量機の給油の可否を判断する判断手段、前記金融カードの情報を受信して前記金融カードの正否を判定させるために前記センターへ送信すると共に、前記センターにより正規なクレジットカードと判定された場合に前記カードの種別に応じた処理を許容する許容手段とを備えている。【選択図】　　　図１
2004106891.tif 000002
【特許請求の範囲】
【請求項１】
自動車への給油を行なうための計量機と、前記計量機から自動車へ給油される油の種類を示す油種を選択する外設端末と、計量機と外設端末を接続するＰＯＳ装置からなる現金自動取引機能付きセルフ給油システムにおいて、前記外設端末は、前記給油に利用可能な金融カードの情報を読み取る読み取り手段とを備え、前記給油に利用可能な金融カードを管理するセンターを備え、且つ、ＰＯＳ装置は、読み取り手段により読み取られたカードに関する情報と選択されたサービスに応じて前記計量機の給油の可否を判断する判断手段、前記金融カードの情報を受信して前記金融カードの正否を判定させるために前記センターへ送信すると共に、前記センターにより正規なクレジットカードと判定された場合に前記カードの種別に応じた処理を許容する許容手段とを備えたことを特徴とする現金自動取引機能付きセルフ給油システム。
【請求項２】
請求項１に記載の現金自動取引機能付きセルフ給油システムおいて、外設端末において給油量と金融カードの利用額が同時に設定可能であることを特徴とする現金自動取引機能付きセルフ給油システム。
【発明の詳細な説明】
【０００１】
【発明の属する技術分野】
本発明は、セルフ給油システムに関するもので、より詳しくは、現金自動取引を行なうことができる現金自動取引機能付きセルフ給油システムに関する。
【０００２】
【従来の技術】
近年、ドライバーが自ら自動車に給油するセルフガソリンスタンドが増加している。このセルフガソリンスタンドは、計量機（給油機）と精算機（自動釣り銭機）がＰＯＳに制御されている。そして、ドライバーが外設ＰＯＳで油の種類（レギュラー、ハイオク、軽油）、給油量の指定を行ない、現金及びプリペイドカード等で前払いをすると、給油機が動作する。給油後、現金の場合、ドライバーは、釣り銭を自動釣り銭機から受け取ることにより精算を完了する（アイランド精算型）。
【０００３】
そして、セルフガソリンスタンドの精算方式は、大きく分けて次の２つのタイプに分かれている。
【０００４】
１．販売室精算型：給油後、利用者が自ら販売室等まで行って店員と直接決済する。コンビニやファーストフード等の併設も多く、これらの店舗で購入した物品と同時に精算できる。
【０００５】
２．アイランド精算型：アイランドとは、計量機のある場所をいう。給油後の支払いはクレジットカード、プリペイドカード、または現金で、給油した近くにある精算機で決済する。
【０００６】
また、現金自動預入支払機（ＡＴＭ）は、駅前等にある銀行本支店、商店街やオフィス街にあるコンビニエンスストア等に設置されている。
【０００７】
【発明が解決しようとする課題】
しかし、販売室精算型においては、店舗で購入した物品と給油の精算が同時にできるだけであった。また、アイランド精算型においては、給油の精算のみしか行なえなかった。そして、現金自動取引は自動車で来店することを想定していないため、郊外の駐車場を有するコンビニエンスストア等を除いて、駐車場は用意されていない。
【０００８】
そこで本発明は、セルフ給油システムにおける機器の多機能化及び給油スペースの有効利用を図ることを目的とする。
【０００９】
【課題を解決するための手段】
（１）上記課題を解決するために、本発明は、自動車への給油を行なうための計量機と、前記計量機から自動車へ給油される油の種類を示す油種を選択する外設端末と、計量機と外設端末を接続するＰＯＳ装置からなる現金自動取引機能付きセルフ給油システムにおいて、前記外設端末は、前記給油に利用可能な金融カードの情報を読み取る読み取り手段とを備え、前記給油に利用可能な金融カードを管理するセンターを備え、且つ、ＰＯＳ装置は、読み取り手段により読み取られたカードに関する情報と選択されたサービスに応じて前記計量機の給油の可否を判断する判断手段、前記金融カードの情報を受信して前記金融カードの正否を判定させるために前記センターへ送信すると共に、前記センターにより正規なクレジットカードと判定された場合に前記カードの種別に応じた処理を許容する許容手段とを備えたことを特徴とする。
【００１０】
（２）更に、（１）に記載の現金自動取引機能付きセルフ給油システムおいて、外設端末において給油量と金融カードの利用額が同時に設定可能であることを特徴とする。
【００１１】
以上のような構成により、▲１▼給油スペースを駐車スペースとして利用可能にすること、及び▲２▼現金自動取引機能と精算機能との相互利用を可能とする現金自動取引機能付きセルフ給油システムを提供することを目的とするものである。
【００１２】
【発明の実施の形態】
〔第１の実施形態〕
以下、本発明について図面を参照して説明する。図１は、本発明に係る現金自動取引機能付きセルフ給油システムの構成を示すブロック図である。１０００は、店舗側システムを示す。２０００は、店舗外システムである外部ネットワークを示す。図１において、本現金自動取引機能付きセルフ給油システムは、外設端末１０Ａ〜１０Ｎと、各外設端末１０Ａ〜１０Ｎと対に配置された計量機２０Ａ〜２０Ｎと、各外設端末１０Ａ〜１０Ｎ及び計量機２０Ａ〜２０Ｎを接続するＰＯＳ装置３０とからなる。
【００１３】
図２は、外設端末１０の構成例を示す図である。外設端末１０には、外設ＰＯＳ２００と精算機３００が上下に併設されている。また、自動車に給油を行なうスタンドには、外設端末１０と計量機２０とが対に設置されている。
【００１４】
ドライバーが自身の自動車に対し計量機２０から給油を行なう場合は、この計量機２０に対に設置されている外設ＰＯＳ２００のカードリーダー２０１にカード（キャッシュ、クレジット、掛け、会員、プリペイド等）を挿入すると共に、外設ＰＯＳ２００のＬＣＤ操作部２０２を操作して、レギュラーガソリン、ハイオクガソリン及び軽油等の各油種の中から所望の油種を選択する。そして、給油量や利用額（例えば、１０００円）を指定または選択する。このとき、外設端末１０は、挿入されたカードに関する情報と選択した油種と給油量や利用額をＰＯＳ装置３０へ送信する。現金やプリペイドカードでない場合、ＰＯＳ装置３０は、外設端末１０から送信された油種の、例えば１リットル当たりの単位金額、給油量、外設端末１０の識別設定番号に関する情報を一時記憶する。そして、ＰＯＳ装置３０は、外部ネットワーク２０００の銀行、生保、クレジッド等の各社処理センター４０に挿入されたカードが有効であるか、使用可能額等の問い合わせをする。照会でカードが使用可能である場合、カードの使用可能額が利用額を上回っていれば、記憶した識別設定番号に対応した計量機２０へ給油許可信号を送信する。これにより、ドライバーは計量機２０から自身の自動車に給油を行なうことができる。給油が終了すると、レシートプリンター２０５からレシートが排出される。
【００１５】
精算機３００には、紙幣投入口３０１、紙幣払出し口３０２、硬貨投入口３０３及び硬貨払出し口３０４が設けられている。現金精算の場合は、この精算機３００を利用して精算が行なわれる。
【００１６】
上述の例で、例えば、給油量が０で、且つ、利用額が１万円である場合、１万円のキャッシングとなる。その他の例として、給油量が１０Ｌ（１０００円分）で、利用額が１万円である場合は、紙幣払出し口３０２から９０００円の現金が払い出される。また、１０００円分の給油を選択することもできる。この場合、外設ＰＯＳまたはＰＯＳ装置において、消費税込みで１０００円分の給油が可能となるように給油量を演算する。
【００１７】
２０３は、インターフォン呼び出しボタンであり、外設端末等に不具合が生じたときに使用する。インターフォン呼び出しボタン２０３を押すと、ガソリンスタンド内のＰＯＳ装置３０の側にいる店員を呼び出す。または、そのときにカードが既に挿入されていてカードの利用不可に関する問い合わせである場合等は、直接カードを発行した会社へ問い合わせができるようにしても良い。この際、スピーカー２０４を介して会話が可能である。マイクは、図示しないがスピーカー付近に設置されているのが好ましい。スピーカー２０４は、操作ガイダンスを行なうときにも使用される。
【００１８】
図３は、外設端末１０の構成を示すブロック図である。外設端末１０には、ＣＰＵ１１が設けられている。ＣＰＵ１１は、ＣＰＵ１１が実行するプログラムや音声データを格納するＥＥＰＲＯＭ１２がバス１０１を介して接続されると共に、データを一時的に格納するＳＲＡＭ１３が接続される。また、ＣＰＵ１１には、挿入されたプリペイドカードまたはクレジットカードのデータを読み取るカードリーダー２０１、ＰＯＳ装置３０とデータ通信を行なう通信インタフェース１５、各種の表示を行なう表示部１６、油種選択キー１７Ａや取消キー１７Ｂ、利用額入力キー１７Ｃ等からなる操作部１７が接続される。本実施形態では、これらの機能を液晶表示操作部であるＬＣＤ操作部２０２に与えた。さらに、ＣＰＵ１１には、油種選択ＬＥＤ１８、音声合成ＩＣ１９、及び外設端末の識別設定番号を設定する識別番号設定スイッチ２２が接続される。ここで、音声合成ＩＣ１９の出力側には、増幅器２３を介してスピーカー２０４が接続される。
【００１９】
図４は、上述のように構成された外設端末１０の動作を示すフローチャートである。このフローチャートに従って、本発明の要部動作を説明する。ドライバーが自身の自動車に給油を行なうために、カードをステップＳ１でカードリーダー２０１に挿入すると、カードリーダー２０１はこの挿入カードを内部に取り込み、且つ、取り込んだカードの情報をＣＰＵ１１へ伝達する。ＣＰＵ１１は、カードリーダー２０１から伝達された情報を入力すると、この挿入カードがプリペイドカードか、或いはクレジッドカード等（金融カード）かをステップＳ２で判断する。
【００２０】
ここで、挿入されたカードがプリペイドカードの場合は、ステップＳ３でカードリーダー２０１により読み取られたプリペイドカードの残額データを表示部１６で表示する。また、レギュラーガソリン、ハイオクガソリン及び軽油等の各油種の中からドライバーが給油すべき油種をステップＳ４で油種キー１７Ａを操作することにより選択すると、ＣＰＵ１１はプリペイドカードの旨を示すカード種別データ、プリペイドカードの残額データ及び選択された油種データを、識別番号設定スイッチ２２の識別設定番号と共にステップＳ５で通信インタフェース１５を介しＰＯＳ装置３０へ送信する。このようにして外設端末１０から識別設定番号、カード種別、残額データ及び油種データ、識別番号がＰＯＳ装置３０へ送信されると、ＰＯＳ装置３０はこれらのデータを受信し、選択された油種の単位金額とカード残額との大小を比較する。そして、カード残額の方が選択油種の単位金額より大であれば給油許可信号を、またカード残額の方が選択油種の単位金額より小であれば給油不許可信号を、それぞれ識別設定番号と共に外設端末１０側へ通知する。
【００２１】
外設端末１０のＣＰＵ１１は、ＰＯＳ装置３０からの通知情報が自身宛の情報か否かを識別番号設定スイッチ２２の識別設定番号に基づき判断し、自身宛の情報の場合は、ＰＯＳ装置３０からの通知情報を受信し、この受信した通知情報に基づいてステップＳ７で給油可能か否かを判断する。ここで、ＰＯＳ装置３０から給油許可信号が通知されれば、ステップＳ７の「給油可？」は「ＹＥＳ」と判定される。この場合、ＰＯＳ装置３０に対応した計量機２０に対し給油許可信号が同様に通知されており、これによりドライバーはその計量機２０から自身の自動車へ油種データに応じた給油を開始することができ、ステップＳ８の対応計量機２０による給油中へ移行する。そして、計量機２０では、ＰＯＳ装置３０から予め通知されたカード残額分に応じた量の給油が自動終了するか、或いはドライバーによる給油が終了すると、計量機２０からＰＯＳ装置３０へ給油量と共に給油終了の旨が伝達される。すると、ＰＯＳ装置３０は、油種データ及び給油量に応じた金額を演算して、演算した金額データを給油終了情報及び識別設定番号と共に外設端末１０側へ送信する。
【００２２】
外設端末１０のＣＰＵ１１は、ＰＯＳ装置３０からの送信情報が自身宛の送信情報か否かを識別番号設定スイッチ２２の識別設定番号に基づき判断し、自身宛の送信情報の場合は、ＰＯＳ装置３０からの送信情報を受信する。そして、この受信情報に基づいて給油の終了を認識し、この受信情報に含まれる金額データをカードリーダー２０１へ送ってプリペイドカードの残額から減算させる引き落とし処理をステップＳ１０で実行する。その後、ＣＰＵ１１はカードリーダー２０１を制御しステップＳ１１でプリペイドカードをカード挿入口から排出させる。このようにして、予め金額データが記録されたプリペイドカードの利用に基づくセルフ給油を行なうことができる。
【００２３】
また、この現金自動取引機能付きセルフ給油システムは、キャッシュカード、クレジットカード等の金融カードの利用による給油を行なうこともできる。ドライバーがステップＳ１で金融カードをカードリーダー２０１のカード挿入口に挿入すると、カードリーダー２０１は金融カードを内部に取り込んでそのデータを読み取り、ＣＰＵ１１へ伝達する。ＣＰＵ１１は、カードリーダー２０１から伝達されるデータに基づきステップＳ２の「プリペイドカード？」を「ＮＯ」と判定する。次に、ステップＳ３０で、給油をするかどうかで「ＹＥＳ」である場合は、ドライバーが給油すべき油種をステップＳ１２で油種キー１７Ａを操作することにより選択すると、ＣＰＵ１１はクレジッドカード等の旨を示すカード種別データ、クレジットカード等のカードデータ及び選択された油種データ及び利用額を、識別番号設定スイッチ２２の識別設定番号と共にステップＳ１３で通信インタフェース１５を介しＰＯＳ装置３０へ送信する。
【００２４】
ＰＯＳ装置３０でこれらのデータを受信すると、受信したクレジットカード等のデータをカード会社の各社処理センター４０へ送信してその正否を確認し、正規なカードの場合は給油許可信号を識別番号と共に外設端末１０側へ通知する。また、ＰＯＳ装置３０は、対応の計量機２０に対しても給油許可信号を送信する。これにより、ドライバーはその計量機２０から自身の自動車へ油種データに応じた給油を開始することができ、ステップＳ１４の対応計量機２０による給油中へ移行する。そして、計量機２０による給油が終了すると、その計量機２０からＰＯＳ装置３０へ給油量と共に給油終了の旨が伝達される。すると、ＰＯＳ装置３０は、油種データ及び給油量に応じた金額を演算して、演算した金額データをステップＳ１６でクレジットカード等から引き落とす。この引き落とし額はクレジットカード等のデータと共にカード会社の各社処理センター４０へ送信され、各社処理センター４０では、そのクレジッドカード等のデータに基づきドライバーの銀行口座の金額から前記引き落とし額を同時または後日減算する。また、このときＰＯＳ装置３０は、給油終了情報を識別設定番号と共に外設端末１０側へ送信する。外設端末１０のＣＰＵ１１は、この給油終了情報を受信するとステップＳ１７でカードリーダー２０１を制御し、クレジットカード等をカード挿入口から排出させる。
【００２５】
ところで、プリペイドカードを利用して給油を行なう際に、プリペイドカードの残額の方が選択油種の単位金額より小であれば、給油不許可信号が外設端末１０側へ通知される。この場合、外設端末１０のＣＰＵ１１は、ステップＳ７の「給油可？」を「ＮＯ」と判定し、ステップＳ１８で音声合成ＩＣ１９を制御することにより、スピーカー２０４から、例えば「残額不足です。やり直して下さい」等の音声ガイダンスを送出させても良い。
【００２６】
次に、ステップＳ３０で、給油をするかどうかで「ＮＯ」である場合は、ＣＰＵ１１はクレジッドカード等の旨を示すカード種別データ、クレジットカード等のカードデータ及び選択された油種データを、識別番号設定スイッチ２２の識別設定番号と共にステップＳ１８で通信インタフェース１５を介しＰＯＳ装置３０へ送信する。
【００２７】
ＰＯＳ装置３０でこれらのデータを受信すると、受信したクレジットカード等のデータをカード会社の各社処理センター４０へ送信してその正否を確認し、正規なカードの場合は利用許可信号を識別番号と共に外設端末１０側へ通知する。これにより、ドライバーはカードに応じた各種サービスを利用することができる。
【００２８】
ここでいう各種サービスとは、給油サービスを除いた、▲１▼消費者金融業のカードによる貸金、返済、入金、振込、▲２▼銀行のキャッシュカード、キャッシングカード（ローンカードを含む）による貸金、返済、入金、振込、▲３▼信販会社のカードによる貸金、返済、入金、振込、▲４▼保険会社（生保、損保）のカードによる貸金、返済、入金、振込、▲５▼交通機関、旅行会社の商品に関する予約券、入場券の発券及び支払精算、▲６▼講演会、音楽会、演劇、映画館の前売り券、予約券、入場券の発券及び支払精算、▲７▼通信販売会社及び団体、企業の職域販売の商品の支払精算、▲８▼機器設置店が発行する、自社カードによる販売代金の支払精算等である。本実施形態において、これら各種サービスで使用されるカードを金融カードと呼ぶ。
【００２９】
各種サービスの利用が終了すると、外設端末１０からＰＯＳ装置３０へ各種処理終了の旨が伝達される。すると、ＰＯＳ装置３０は各種処理のデータをカード会社の各社処理センター４０へ送信し、各社処理センター４０ではその金融カードのデータに基づきドライバーの銀行口座の金額から前記引き落とし額を同時または後日精算する。また、このときＰＯＳ装置３０は、各種処理終了情報を識別番号と共に外設端末１０側へ送信する。外設端末１０のＣＰＵ１１は、この各種処理終了情報を受信すると、ステップＳ２１でカードリーダー２０１を制御し金融カードをカード挿入口から排出させる。
【００３０】
このように、本現金自動取引機能付きセルフ給油システムは、クレジットカード等を利用して給油を行なうことができる。また、挿入されたプリペイドカードや現金の残額が選択油種の単位金額に満たない場合は、外設端末１０から音声ガイダンスを送出させてドライバーに金融カードの挿入を促すことにより、給油を許可するようにしても良い。この場合、ステップＳ７の後に金融カードの挿入がされた場合、ステップ１３へ進む処理となる。
【００３１】
尚、本実施形態では、給油に利用するカードとしてプリペイドカードを用いるようにしたが、プリペイドカードの代わりにＩＣカードを用いるようにしても良い。また、本実施形態では、ドライバーに対し金融カードの挿入を促す場合、音声ガイダンスを送出させているが、ビープトーンを鳴動させても良い。さらに、本実施形態では、プリペイドカードの金額が選択油種の単位金額以下の場合に金融カードの挿入を促しているが、ドライバーが、例えば２０リットルのハイオクガソリンの給油を希望したときにプリペイドカードの金額がその給油量に応じた給油料金（即ち、選択油種の単位金額×２０リットル）に満たない場合にも同様に金融カードの挿入を促すことが可能である。また、本実施形態では、油種の選択を外設端末１０で行なっているが、計量機２０で行なうようにしても良い。この他、本実施形態では、外設端末１０と計量機２０とを別々に設けているが、外設端末１０と計量機２０とを一体化しても良い。
【００３２】
【発明の効果】
以上説明したように、本発明に係る現金自動取引機能付きセルフ給油システムによれば、▲１▼給油スペースを駐車スペースとして利用可能にすること、及び▲２▼現金自動取引機能と精算機能との相互利用を可能とするシステムを提供できる。
【図面の簡単な説明】
【図１】本発明における一実施形態に係わる現金自動取引機能付きセルフ給油システムの全体構成を示す図である。
【図２】本発明における一実施形態に係わる外設端末の構成例を示す図である。
【図３】本発明における一実施形態に係わる外設端末の構成を示すブロック図である。
【図４】本発明における一実施形態に係わる外設端末の動作を示すフローチャートである。
【符号の説明】
１０…外設端末
１０Ａ，１０Ｂ，１０Ｃ，１０Ｎ…外設端末
１１…ＣＰＵ
１２…ＥＥＰＲＯＭ
１３…ＳＲＡＭ
１５…通信インタフェース
１６…表示部
１７…操作部
１７Ａ…油種選択キー
１７Ｂ…取消キー
１７Ｃ…利用額入力キー
１８…油種選択ＬＥＤ
１９…音声合成ＩＣ
２０…計量機
２０Ａ，２０Ｂ，２０Ｃ，２０Ｎ…計量機
２２…識別番号設定スイッチ
２３…増幅器
３０…ＰＯＳ装置
４０…各社処理センター
１０１…バス
２００…外設ＰＯＳ
２０１…カードリーダー
２０２…ＬＣＤ操作部
２０３…インターフォン呼び出しボタン
２０４…スピーカー
２０５…レシートプリンター
３００…精算機
３０１…紙幣投入口
３０２…紙幣払出し口
３０３…硬貨投入口
３０４…硬貨払出し口
１０００…店舗側システム
２０００…外部ネットワーク
【図１】
2004106891.tif 000003
【図２】
2004106891.tif 000004
【図３】
2004106891.tif 000005
【図４】
2004106891.tif 000006